(57)【要約】  可撓性容器（１）は、これを通じて可撓性パウチの外側から内部空間（１１）にアクセス可能な分配用開口部を有する可撓性パウチ（２）、可撓性パウチ（２）に取り付け可能に取り付けられ分配用開口部（１２）をカバーする可撓性密封部材（１３）、及び分配用開口部（１２）を囲む剛性密閉要素（１６）を含む。可撓性密封部材（１３）は、可撓性密封部材（１３）を持ち上げ、これによって分配用開口部（１２）を曝露するための、少なくとも２つの持ち上げタブ（１４、１５）を有する。剛性密閉要素（１６）は、可撓性パウチ（２）に永続的に取り付けられる基部（１７）、及びヒンジ（１９）によって基部（１７）に接続される蓋（１８）を有する。持ち上げタブ（１４、１５）の少なくとも１つが、蓋（１８）が開いた状態にあるときに、剛性密閉要素（１６）によって妨害され難く、これにより、持ち上げタブ（１４、１５）のもう一つが剛性密閉要素（１６）に妨害されても、可撓性密封部材（１３）を持ち上げて分配用開口部（１２）を曝露するために使用可能なままである。
2010522675.tif 000002
【特許請求の範囲】
【請求項１】
可撓性シート材料（３）から形成され、内部空間（１１）を画定し且つ内部空間を取り囲む壁部（４、６、７、８）を有する可撓性パウチであって、前記壁部の少なくとも１つに形成される分配用開口部（１２）を含み、この分配用開口部を通じて外側から前記内部空間にアクセス可能である、可撓性パウチ（２）と、
前記可撓性パウチに解放可能に取り付けられ、前記分配用開口部を覆い且つこれを越えて広がって前記分配用開口部の全体をカバーする可撓性密封部材（１３）であって、前記可撓性密封部材を持ち上げ、それによって前記分配用開口部をさらすために使用されるようになされた少なくとも２つの持ち上げタブ（１４、１５）を含み、前記持ち上げタブは、前記可撓性パウチに接着されていないか又は前記可撓性密封部材の残りの部分よりも相対的により弱く前記可撓性パウチに接着されている、可撓性密封部材（１３）と、
前記可撓性パウチに取り付けられ、前記分配用開口部から離間して前記分配用開口部を囲むように設けられた基部（１７）と、開いた状態から閉じた状態まで揺動することができるように、ヒンジ（１９）によって前記基部に連結された蓋（１８）と、を含む剛性密閉要素（１６）であって、閉じた状態において、前記可撓性密封部材及び前記分配用開口部へ前記可撓性パウチの外部からアクセス可能であり、閉じた状態において、前記蓋が前記基部と係合し、前記可撓性密封部材及び前記分配用開口部への前記可撓性パウチの外側からのアクセスが前記蓋によって遮られる、剛性密閉要素（１６）と、を含み、
前記蓋が開いた状態にあるとき、前記持ち上げタブの少なくとも１つが、前記剛性密閉要素によって妨害されず、前記可撓性密封部材を持ち上げて前記分配用開口部をさらすための前記持ち上げタブの使用が可能なままである、可撓性容器（１）。
【請求項２】
前記持ち上げタブの少なくとも１つが、前記可撓性パウチに接着されていない、請求項１に記載の可撓性容器。
【請求項３】
第１接着剤によって、前記持ち上げタブの少なくとも１つが前記可撓性パウチに接着され、
第２接着剤によって、前記可撓性密封部材の残部が前記可撓性パウチに接着され、
前記第１接着剤は前記第２接着剤よりも低い剥離力を有する、請求項１に記載の可撓性容器。
【請求項４】
前記持ち上げタブの少なくとも１つが、前記可撓性密封部材の前記残部よりも少ない量の接着剤に覆われ、前記可撓性パウチに取り付けられる、請求項１に記載の可撓性容器。
【請求項５】
前記分配用開口部が、穿孔によって画定されているものの切り取られておらず、
前記可撓性密封部材は、前記穿孔によって囲まれる前記可撓性シート材料の部分に接着されており、
前記可撓性密封部材の持ち上げが、前記可撓性シート材料を前記穿孔部において破断することによって、前記分配用開口部の形成を達成するようになっている、請求項１〜４のいずれか一項に記載の可撓性容器。
【請求項６】
前記持ち上げタブが、前記可撓性密封部材の対向する部分に配置されている、請求項１〜５のいずれか一項に記載の可撓性容器。
【請求項７】
前記持ち上げタブが、前記可撓性密封部材の隣接する部分に配置されている、請求項１〜５のいずれか一項に記載の可撓性容器。
【請求項８】
前記可撓性密封部材が、ほぼ楕円形状を有する、請求項１〜７のいずれか一項に記載の可撓性容器。
【請求項９】
前記可撓性密封部材が、ほぼ矩形の形状を有する、請求項１〜７のいずれか一項に記載の可撓性容器。
【請求項１０】
前記剛性密閉要素が、ほぼ楕円形状を有する、請求項１〜９のいずれか一項に記載の可撓性容器。
【発明の詳細な説明】
【技術分野】
【０００１】
本発明は、開口を通じて分配される物品を取り囲む、可撓性容器に関する。
【背景技術】
【０００２】
ほこり取り布、拭取り布、湿った拭取り布、顔用布、及び幼児用布など、多くの種類の家庭用、及びパーソナルケア物品が可撓性容器の内部に包装され得る。このような商品を包装するための典型的な可撓性容器内において、可撓性パウチが、可撓性シート材料から形成される。パウチ内部へのアクセスは通常、シート材料の分配用開口部によってもたらされる。
【０００３】
分配用開口部は通常、使用前にパウチ内部に収容される物品が汚染及び／又は乾燥することを防ぐために、可撓性密封部材によって閉じられている。可撓性密封部材は通常、接着剤手段によってパウチに取り付けられる。可撓性密封部材の一つの端部において、分配用開口部を曝露してこれによってパウチ内部へのアクセスを得るために、可撓性密封部材を持ち上げることに使用される、持ち上げタブが通常提供される。
【０００４】
いくつかの可撓性容器は、剛性密閉要素を備える。典型的な剛性密閉要素には、パウチに接着される基部及びヒンジ付き蓋などの、インターロックする２つの要素が挙げられる。しかしながら、このような剛性密閉要素は、緊密に密閉せず、このために、物品の汚染、及び／又は湿った拭取り布などの物品からの湿分損失を防がない場合がある。１つの解決方法は、分配用開口部を閉じるための可撓性密封部材、並びに可撓性密封部材及び分配用開口部の両方を覆うための剛性密閉要素の両方を提供することであった。
【０００５】
可撓性密封部材のみ、又は剛性密閉要素のみが存在する場合、この製造中の配置のための用件は、単純に、可撓性密封部材又は剛性密閉要素が分配用開口部を閉じ、これによって取り囲まれた物品の曝露を防がなくてはならないことである。この用件を満たすことを促進するため、可撓性密封部材、又は剛性密閉要素は、分配用開口部よりも実質的に大きく作製されてもよく、その結果、僅かな置き間違いは、分配用開口部の閉鎖の失敗には至らない。
【０００６】
しかしながら、可撓性密封部材及び剛性密閉要素の両方が存在する場合、これらの配置は相互に関連する。例えば、剛性密閉要素の相対的な置き間違いは、可撓性密封部材上の持ち上げタブを妨害し、これによってユーザーが取り囲まれた物品にアクセスするために可撓性密封部材を持ち上げることを遮ることがある。剛性密閉要素は、通常、可撓性パウチに強く固定されているため、ユーザーは可撓性パウチを切断、又は破断するなど、他の何らかの方法で可撓性容器を開けなくてはならない。当然、切断又は破断して開けられた可撓性パウチは通常、再び密封することができず、したがって可撓性容器の内部の物品を取り囲むという本来の目的は果たされない。
【０００７】
可撓性密封部材、又は剛性密閉要素の、いずれかの相対的な置き間違いは、不良品の廃棄、並びに／又は及びユーザーに届く不良品の数を最小化するための設備、訓練、点検に、より多くの費用を投じる必要性による、より高い製造費をも生じる。加えて、不良品に遭うユーザーは、製品に対する信頼を失う。
【発明の概要】
【発明が解決しようとする課題】
【０００８】
したがって、上述の問題が起こり難いように構成される、可撓性密封部材及び剛性密閉要素の両方を有する可撓性容器を提供することは、有益である。
【課題を解決するための手段】
【０００９】
可撓性容器は、この可撓性容器を通じてその外側から内部空間にアクセス可能（到達可能）である分配用開口部を有する可撓性パウチと、可撓性パウチに解放可能に取り付けられ、分配用開口部をカバーする可撓性密封部材と、分配用開口部を囲う剛性密閉要素と、を含む。可撓性密封部材は、可撓性密封部材を持ち上げるための、少なくとも２つの持ち上げタブを有し、これによって分配用開口部を曝露する。剛性密閉要素は、可撓性パウチに取り付けられる基部、及び、ヒンジによって基部に連結される蓋を有する。持ち上げタブの少なくとも１つは、蓋が開いた状態にあるときに、剛性密閉要素によって遮られ難く、これにより、別の持ち上げタブが、剛性密閉要素によって遮られたとしても、可撓性密封部材を持ち上げて分配用開口部を曝露するために、使用可能であり続ける。
【図面の簡単な説明】
【００１０】
【図１】代表的な可撓性容器の斜視図を図示する。
【図２】別の代表的な可撓性容器の斜視図を図示する。
【発明を実施するための形態】
【００１１】
用語「設けられた」は、特定の場所又は位置に取り付けられ且つ位置決めされて、他の要素を有する単一構造になっている要素を指す。
【００１２】
用語「取り付ける」とは、互いに取り付けられる要素、及びこれらの構成要素材料にとって好適な任意の方法による締結、接着、結合などによって、要素が連結又は一体化されていることを指す。接着剤結合、圧力接着、熱接着等を含む、要素を相互に取り付けるための多くの好適な方法が周知である。そのような取り付け方法を使用して、要素が、特定の範囲全体にわたって連続的又は断続的に互いに取り付けられてもよい。特に指示しない限り、互いに取り付けられていると記載されている要素は、それらの間に何もなく又は結合材料、例えば接着剤のみで、相互に直接取り付けられる。要素は「永続的に」取り付けられてもよく、即ち、要素の一方、又は両方、及び／あるいは存在する任意の接着材料が、これらを分離するために、破損されなくてはならないような方法で取り付けられる。この永続的取り付けは、外すことができる締結具を用いて要素を相互に締結するような、一時的な取り付けを除く。あるいは、要素は、「解放可能に」取り付けられてもよく、即ち、要素がいずれも、これらを分離するために、破損される必要がないような方法で取り付けられる。
【００１３】
用語「積層体」は、層状構成で相互に取り付けられている要素を指す。
【００１４】
用語「貼着性」は、一旦硬化すると、それ自体に膠着するが、他の材料には有意な程度に膠着しない材料の特性を指す。
【００１５】
用語「透水性」「不透水性」は、使い捨て吸収性物品の意図された使用法に関連した材料の浸透性を指す。具体的には、用語「透水性」は、強制圧力の非存在下でも液体水がその厚みを通り抜けられるようにする孔、開口部及び／若しくは相互に連結された空隙を有する層又は層状構造を指す。それとは逆に、用語「不透水性」は、強制圧力の非存在下では、液体水がその厚みを通り抜けることができない層又は層状構造を指す。当該技術分野において周知のように、材料の水への浸透性を測定するために一般的な方法は、静水圧試験であり、静水頭試験、又は単に「水頭」試験とも呼ばれる。水頭試験（hydrohead）のための好適な周知の簡潔な方法が、ＩＮＤＡ（元国際不織布及び使い捨て用品協会（International Nonwovens and Disposables Association）、現在の不織布工業協会（Association of the Nonwoven Fabrics Industry））及びＥＤＡＮＡ（欧州使い捨て用品及び不織布協会（European Disposables And Nonwovens Association））によって承認されている。
【００１６】
用語「不織布」は、機械的、熱的又は化学的手段を通して、繊維を結合又は交絡加工（entangling）することにより作製される、一方向に又はランダムに配向された繊維のシート、ウェブ又はバットを指す。不織布材料は、紙及びウェットミリングにより織られた、編まれた、房状になった又はフェルト化された製品を除く。繊維は、好ましくは人工合成繊維であるが、必須ではない。
【００１７】
可撓性容器は、その内容物、例えば拭取り布などの、基材シートの積み重ね、又はロールなどを取り囲むために好適な、いかなる形状を有してもよい。例えば、可撓性容器は、円筒形、多角形、又は平行六面体の形状であり得る。
【００１８】
図１及び図２はそれぞれ、可撓性容器１の代表的な実施形態を例示しており、ここで可撓性パウチ２は、ポリマーシート材料３から形成され、これは、湿分を含む必要性、又は湿分を排除する必要性が存在する場合は、不透水性であってもよく、あるいは、これらの必要性がいずれも存在しない場合は、透水性であってもよい。可撓性パウチ２は、頂部壁４、対向する底壁（明確にするため、図示されない）、対向する端部壁６及び７、前部側壁８、並びに対向する後部側壁（明確にするため、図示されない）を有し、ほぼ平行六面体の構成で配置される。対向する端部壁６及び７は、端部密封部９及び１０で閉じられる。壁は、可撓性パウチ２の内部空間１１を画定し、取り囲む。
【００１９】
可撓性パウチ２は、頂部壁４に分配用開口部１２を有する。このような分配用開口部は、頂部壁の代わりに、又はこれに加えて、別の壁につくられてもよい。分配用開口部１２は、シート材料３の穿孔により、製造プロセスで完全に形成されてもよく、又は画定されてもよいが、切り取られない。図に示される代表的な分配用開口部１２は、比較的に単純な楕円形状を有する。分配用開口部１２は、矩形の形状などの異なる比較的に単純な形状を有してもよく、あるいは、丸い角を有するほぼ矩形の形状、又は多数の突出部を有する形状など、比較的に複雑な形状を有してもよい。一般的に、分配用開口部１２は、可撓性パウチ２の内部空間１１へのアクセス（到達、接近）のために好適な任意の形状を有し得る。
【００２０】
可撓性密封部材１３は、分配用開口部１２を覆い、分配用開口部を越えて全ての方向に延びて、周辺を囲う領域も覆い、これによって分配用開口部１２全体をカバーする。可撓性密封部材１３は可撓性材料から形成され、これは、可撓性パウチ２が形成される、シート材料３と同一であってもよい。可撓性密封部材１３は、含まれる材料にとって好適な任意の方法によって、可撓性パウチに解放可能に取り付けられ、これには例えば、接着剤取り付け、粘着剤取り付け、又は好適な方法の組み合わせが挙げられる。分配用開口部１２が、製造プロセス中の穿孔によって画定されるのみであって、切り取られない実施形態では、分配用開口部１２の形成は、可撓性密封部材１３を持ち上げるときにユーザーによって達成されてもよく、このときに、可撓性密封部材１３のシート材料３への取り付けは、弱化シート材料３の、これが穿孔された場所での破断を生じ得る。
【００２１】
可撓性密封部材１３は、可撓性密封部材１３の周辺に沿って位置する、持ち上げタブ１４及び１５を有する。これらの持ち上げタブ１４及び１５は、ユーザーによって把持され、可撓性密封部材１３を可撓性パウチ２の表面から持ち上げて取り去り、これによって分配用開口部１２を曝露するように適合される。図１の実施形態では、対向する持ち上げタブ１４及び１５は、可撓性パウチ２の対向する端部壁６及び７の近くの可撓性密封部材１３の周囲に沿って位置づけされる。このような持ち上げタブは、図１に図示される位置の代わりに、又はこれに加えて、可撓性パウチ２の側壁の近くの可撓性密封部材１３の周囲に沿って提供され得る。同様に、このような持ち上げタブは、図１に図示される、若しくは前述の位置の代わりに、又はこれに加えて、可撓性密封部材１３の周囲に沿った任意の場所に提供され得る。例えば、図２の実施形態では、持ち上げタブ１４及び１５は、可撓性密封部材１３の隣接する四分円の可撓性密封部材１３の周辺に沿って位置し、即ち、一つの持ち上げタブ１４は相対的に可撓性パウチ２の端部壁６の近くに位置し、他方の持ち上げ部材１５は相対的に可撓性パウチ２の前部側壁８の近くに位置する。
【００２２】
図に示される代表的な可撓性密封部材１３は、比較的に単純な楕円形状を有し、持ち上げタブ１４及び１５はそれぞれ、楕円の区分の比較的単純な形状を有するように図中に示される。可撓性密封部材１３は、矩形の形状などの異なる比較的に単純な形状を有してもよく、あるいは、丸い角を有するほぼ矩形の形状、又は多数の突出部を有する形状など、比較的に複雑な形状を有してもよい。一般に、可撓性密封部材１３は、開口１２をカバーするいかなる形状を有してもよい。同様に、持ち上げタブ１４及び１５はそれぞれ、丸い形状、又は矩形の形状などの異なる比較的に単純な形状を有してもよく、あるいは、丸い角を有するほぼ矩形の形状、又は多数の突出部を有する形状など、比較的に複雑な形状を有してもよい。一般に、持ち上げタブ１４及び１５はそれぞれ、ユーザーによって把持されるために好適な、任意の形状を有し得る。図に示される代表的な持ち上げタブ１４及び１５は一般的に、可撓性密封部材１３のおおよその輪郭にぴったりと一致する。いくつかの実施形態では、持ち上げタブ１４及び１５は、可撓性密封部材１３のおおよその輪郭から外側に突出する別個の突出部の形状を有してもよい。
【００２３】
複数の持ち上げタブの提供は、ユーザーが、可撓性密封部材を持ち上げて、可撓性パウチの内部空間の内側に取り囲まれる物品へのアクセスを得ることができなくなる可能性を低減する。特に、可撓性密封部材及び剛性密閉要素の相対的な置き間違いが、一つの持ち上げタブの遮りとなる場合、別の持ち上げタブが使用可能なままであり得る。同様に、例えば可撓性パウチに固く接着しているなど、一つの持ち上げタブに何らかの欠陥がある場合、別の持ち上げタブが使用可能なままである場合がある。加えて、複数の持ち上げタブの提供は、いずれか一方の手で分配用開口部を開くことを可能にし、したがって左利き、及び右利きのユーザー両方の、並びに、子供を抱くなどの作業によって一方の手が塞がっており、したがって彼又は彼女の空いている手（右手、又は左手であり得る）を使わなくてはならないユーザーが、取り囲まれた物品に届くために、取り囲まれた物品へアクセスすることを促進する。
【００２４】
持ち上げタブは、可撓性パウチへの取り付け部を有さなくてもよく、又は可撓性密封部材の残部と比較して、相対的に弱く取り付けられてもよいが、これは例えば、低い剥離力を有する接着剤によるか、又は単に可撓性密封部材の残部を可撓性パウチに取り付けるために使用されるよりも、小さい接着範囲による。持ち上げタブを比較的に弱く可撓性パウチに取り付ける別の方法は、接着剤を一つの表面に、シリコーンコーティングを合わせ面上に提供することである。比較的に弱く取り付けられた持ち上げタブは、製造プロセス中に可撓性パウチの壁部に接着したままであり、これによって製造装置内でのもつれの可能性を低減するため、望ましいことがある。
【００２５】
剛性密閉要素１６は、可撓性パウチ２の頂部壁４上に取り付けられる。この剛性密閉要素１６は、基部１７及び蓋１８を有する。当該技術分野において既知であるように、このような基部及び蓋は、図に示されるヒンジ１９を形成する、比較的柔軟なフラップによって連結されてもよく、又はマルチピースヒンジ機構によって連結されてもよい。図では、蓋１８は、「開いた」状態で図示され、可撓性密封部材１３及び分配用開口部１２はアクセス可能である。基部１７及び蓋１８は、蓋が、一度基部１７と係合すると、「閉じた」状態に保たれるような、任意の方法で係合し得る。その後可撓性密封部材１３及び分配用開口部１２へのアクセスを得るために、基部１７及び蓋１８は、蓋１８が、図に示される「開いた」状態まで、ヒンジ１９を中心に回転し得るように、係合離脱しなくてはならない。
【００２６】
図に示される、代表的な剛性密閉要素１６は、比較的単純な、矩形の形状を有する。剛性密閉要素１６は、丸い形状、又は楕円形状などの異なる比較的に単純な形状を有してもよく、あるいは、丸い角を有するほぼ矩形の形状、又は多数の突出部を有する形状など、比較的に複雑な形状を有してもよい。一般に、剛性密閉要素１６は、開口部１２をカバーするために好適な、任意の形状を有し得る。
【００２７】
好適な係合基部及び蓋は、米国特許第４，１５６，４９３号、同４，１８５，７５４号、同６，７０２，１０９号、米国出願公開第２００５／０１５０７８５号、同２００５／０１８９３６７号、同２００５／００１１９０６号、同２００７／００２３４３６号、及びＰＣＴ国際公開第００／０６４７５５号に見出すことができる。
【００２８】
基部１７は、含まれる材料にとって好適な任意の方法により、可撓性密封部材１３のシート材料３に取り付けられる。この取り付けは、永続的であってもよく、又は取り外し可能であってもよい。図１に示されるように、基部１７は、分配用開口部１２から離間して分配用開口部１２を囲むように設けられる。剛性密閉要素１６は、好ましくは、可撓性密封部材１３から離間して可撓性密封部材１３を同様に囲むように設けられ、これによって持ち上げタブ１４及び１５をアクセス可能及び使用可能にする。しかしながら、既に説明されたように、ある程度の剛性密閉要素１６及び可撓性密封部材１３の置き間違いは、複数の持ち上げタブ１４及び１５の提供により許容可能であり得、これは、持ち上げタブの少なくとも１つが、相対的な置き間違いが大きく、別の持ち上げタブが遮られるとしても、使用可能なままである可能性を増大する。
【００２９】
当該技術分野において典型的であるように、可撓性パウチ、可撓性密封部材、及び剛性密閉要素はそれぞれ、部分的に、又は全体的に、高分子材料から形成され得る。可撓性パウチ、及び／又は可撓性密封部材中で利用される高分子材料は、フィルムの形態を有してもよく、ラミネート構造体中において単一の層のみを、又は複数の層を含んでもよい。このような積層構造体は、１つ以上のフィルムを含んでもよく、及び／又は層（単数又は複数）を、繊維性シート又はフォイルなど、他の形態で含んでもよい。
【００３０】
剛性密閉要素は、ポリプロピレン、ポリエチレン、ポリスチレン、アクリロニトリルブタジエンスチレン（ＡＢＳ）、ポリエステル、ポリ塩化ビニル、ポリカーボネート、若しくはエラストマー、又はこれらの材料の混合などの、成形可能な熱可塑性材料から、部分的に、又は全体的に形成されてもよい。剛性密閉要素はまた、あるいは別の方法として、厚紙、波形化された紙、木材、カード用紙、紙、セラミック、及びこれらの組み合わせなどの材料から、部分的に、又は全体的に形成される。
【００３１】
全ての特許、特許出願、及びそれに基づいて発行されたいかなる特許、並びに関連して発行されたいかなる外国特許出願、並びに本明細書において列挙及び／又は参照した全ての刊行物の開示内容も、参考として本明細書に組み込まれる。参照することにより本明細書に組み込まれた文献のいずれか又は文献のいかなる組み合わせも、本発明を教示又は開示するとは明らかに認められない。本書における用語のいかなる意味又は定義も、参照により組み込まれた文献における同一の用語のいかなる意味又は定義と相反する限りにおいては、本書においてその用語に与えられた意味又は定義が適用されるものとする。
【００３２】
本発明の特定の諸実施形態を図示し、記載したが、本発明の趣旨及び範囲から逸脱することなく他の様々な変更及び修正を実施できることは当業者には自明であろう。したがって、本発明の範囲内にあるかような全ての変更及び修正は、添付の特許請求の範囲に包含されるものとする。
【図１】
2010522675.tif 000003
【図２】
2010522675.tif 000004
【国際調査報告】
2010522675.tif 000005
2010522675.tif 000006
2010522675.tif 000007